(57)【要約】【課題】    一次電池においては消耗すれば交換する必要が生じるし、二次電池においても消耗又は劣化すれば交換する必要が生じる。この交換作業に手間がかかるような複雑な構造の電気機器であれば、交換の簡便さは失われ、電気接点の接触不良や電線の断線等による問題が発生しやすくなり、意匠を劣化させる。また、電気接点の防塵や防水等の保護が必要な場合に、より複雑な構造に陥ってしまう。【解決手段】  三脚の脚部付根から電池を挿入する構造とする。【選択図】              図１
2008121780.tif 000002
【特許請求の範囲】
【請求項１】
筒状の第１脚部と、
棒状の第２脚部及び第３脚部と、
前記第１脚部の開口端である第１一端及び閉口端である第１他端と、
前記第２脚部の第２一端及び第２他端と、
前記第３脚部の第３一端及び第３他端と、
前記第１一端、前記第２一端及び前記第３一端が接続され、第１嵌合形状を備える第１接続部と、
前記第１他端の筒内に設けられる第１端子と、
前記第１端子に電気的に接続され前記第１接続部に設けられる第２端子と、
を備える保持脚体と、
第２嵌合形状を備える第２接続部と、
前記第２接続部に設けられる第３端子及び第４端子と、
前記第３端子及び前記第４端子に接続される電気伝導経路と、
を備える電気機器と、
から構成される脚付き電池式電気機器であって、
前記第１他端、前記第２他端及び前記第３他端を水平面に接地させることで安定静止させることが可能で、
前記第１一端から棒状の第１電池を挿入可能で、
挿入された前記第１電池の一端は前記第１端子に接触し、
挿入された前記第１電池の他端は前記第１嵌合形状に前記第２嵌合形状を嵌合させることで前記第３端子に接触し、
前記第１嵌合形状に前記第２嵌合形状を嵌合させることで前記第２端子は前記第４端子に接触する、
脚付き電池式電気機器。
【請求項２】
筒状の第１脚部及び第２脚部と、
棒状の第３脚部と、
前記第１脚部及び前記第２脚部それぞれの開口端である第１一端及び第２一端と、
前記第１脚部及び前記第２脚部それぞれの閉口端である第１他端及び第２他端と、
前記第３脚部の第３一端及び第３他端と、
前記第１一端、前記第２一端及び前記第３一端が接続され、第１嵌合形状を備える第１接続部と、
前記第１他端及び前記第２他端の筒内にそれぞれ設けられる第１端子及び第５端子と、
を備える保持脚体と、
第２嵌合形状を備える第２接続部と、
前記第２接続部に設けられる第３端子及び第６端子と、
前記第３端子及び前記第６端子に接続される電気伝導経路と、
を備える電気機器と、
から構成される脚付き電池式電気機器であって、
前記第１他端、前記第２他端及び前記第３他端を水平面に接地させることで安定静止させることが可能で、
前記第１一端及び前記第２一端からそれぞれ棒状の第１電池及び第２電池を挿入可能で、
挿入された前記第１電池及び前記第２電池の一端はそれぞれ前記第１端子及び前記第５端子に接触し、
挿入された前記第１電池及び前記第２電池の他端は、前記第１嵌合形状に前記第２嵌合形状を嵌合させることでそれぞれ前記第３端子及び前記第６端子に接触する、
脚付き電池式電気機器。
【請求項３】
前記第１接続部に設けられる第２端子を備え、
前記第１端子、前記第２端子及び前記第５端子は電気的に接続される、
請求項２に記載の脚付き電池式電気機器。
【請求項４】
前記第１接続部に設けられる第２端子及び第７端子を備え、
前記第１端子及び前記第２端子は電気的に接続され、
前記第５端子及び前記第７端子は電気的に接続される、
請求項２に記載の脚付き電池式電気機器。
【請求項５】
前記第１電池及び前記第２電池はそれぞれ単セル構成である、
請求項２から請求項４のいずれかに記載の脚付き電池式電気機器。
【発明の詳細な説明】
【技術分野】
【０００１】
本発明は、脚付き電池式電気機器に関する。
【背景技術】
【０００２】
電気機器を支持する三脚に電池を装着可能なアイデアとしては、特許文献１のように脚部自身又は脚部が接続される支持台に電池を内蔵可能なものや、特許文献２のように支持台を高さ調整可能にするエレベータ部に電池を内蔵可能なものが知られている。
【０００３】
【特許文献１】特開２００６−０８１２８２号公報
【特許文献２】特開２００６−１３８４５５号公報
【発明の開示】
【発明が解決しようとする課題】
【０００４】
一次電池においては消耗すれば交換する必要が生じるし、二次電池においても消耗又は劣化すれば交換する必要が生じる。この交換作業に手間がかかるような複雑な構造の電気機器であれば、交換の簡便さは失われ、電気接点の接触不良や電線の断線等による問題が発生しやすくなり、意匠を劣化させる。また、電気接点の防塵や防水等の保護が必要な場合に、より複雑な構造に陥ってしまう。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係る脚付き電池式電気機器は、例えば図１から図３のように、
筒状の脚部１と、
棒状の脚部２及び脚部３と、
脚部１の開口端である一端７及び閉口端である他端４と、
脚部２の一端８及び他端５と、
脚部３の一端９及び他端６と、
一端７、一端８及び一端９が接続され、嵌合形状１３（１４,１５,１６）を備える接続部１２と、
他端４の筒内に設けられる端子５１と、
端子５１に電気的に接続され接続部１２に設けられる端子５２と、
を備える保持脚体１７と、
嵌合形状２３（２４,２５,２６）を備える接続部２２と、
接続部２２に設けられる端子５３及び端子５４と、
端子５３及び端子５４に接続される電気伝導経路と、
を備える電気機器２０と、
から構成される脚付き電池式電気機器であって、
他端４、他端５及び他端６を水平面に接地させることで安定静止させることが可能で、
一端７から棒状の電池１０を挿入可能で、
挿入された電池１０の一端は端子５１に接触し、
挿入された電池１０の他端は嵌合形状１３（１４,１５,１６）に嵌合形状２３（２４,２５,２６）を嵌合させることで端子５３に接触し、
嵌合形状１３（１４,１５,１６）に嵌合形状２３（２４,２５,２６）を嵌合させることで端子５２は端子５４に接触する、
脚付き電池式電気機器である。
【０００７】
発明２に係る脚付き電池式電気機器は、例えば図１、図２、図４及び図５のように、
筒状の脚部１及び脚部２と、
棒状の脚部３と、
脚部１及び脚部２それぞれの開口端である一端７及び一端８と、
脚部１及び脚部２それぞれの閉口端である他端４及び他端５と、
脚部３の一端９及び他端６と、
一端７、一端８及び一端９が接続され、嵌合形状１３（１４,１５,１６）を備える接続部１２と、
他端４及び他端５の筒内にそれぞれ設けられる端子５１及び端子５５と、
を備える保持脚体１７と、
嵌合形状２３（２４,２５,２６）を備える接続部２２と、
接続部２２に設けられる端子５３及び端子５６と、
端子５３及び端子５６に接続される電気伝導経路と、
を備える電気機器２０と、
から構成される脚付き電池式電気機器であって、
他端４、他端５及び他端６を水平面に接地させることで安定静止させることが可能で、
一端７及び一端８からそれぞれ棒状の電池１０及び電池１１を挿入可能で、
挿入された電池１０及び電池１１の一端はそれぞれ端子５１及び端子５５に接触し、
挿入された電池１０及び電池１１の他端は、嵌合形状１３（１４,１５,１６）に嵌合形状２３（２４,２５,２６）を嵌合させることでそれぞれ端子５３及び端子５６に接触する、
脚付き電池式電気機器である。
【０００８】
発明３に係る脚付き電池式電気機器は、発明２の脚付き電池式電気機器において、例えば図１、図２、図４及び図５のように、
接続部１２に設けられる端子５２を備え、
端子５１、端子５２及び端子５５は電気的に接続される、
脚付き電池式電気機器である。
【０００９】
発明４に係る脚付き電池式電気機器は、発明２の脚付き電池式電気機器において、例えば図４及び図５のように、
接続部１２に設けられる端子５２及び端子５７を備え、
端子５１及び端子５２は電気的に接続され、
端子５５及び端子５７は電気的に接続される、
脚付き電池式電気機器である。
【００１０】
発明５に係る脚付き電池式電気機器は、発明２から発明４のいずれかの脚付き電池式電気機器において、例えば図４及び図５のように、
電池１０及び電池１１はそれぞれ単セル構成である、
脚付き電池式電気機器である。
【発明の効果】
【００１１】
以上のように本発明では、電気機器側ではなく保持脚体側に電池を内蔵し、脚部が集約する接続部に両者を電気的に接続する端子及び電池の挿入口を設けたので、両者を分離するだけで電池の交換が可能で、電気接点の防塵や防水等の保護が可能な構造の設計が容易となる。
また、棒状の三本の脚部を備える保持脚体は、重量物である電池によって重心が低く、例えば文具で溢れているテーブルに素早く安定して設置可能である。
【００１２】
また、発明２では、脚部をさらに有効利用でき、より重心が低くなる。
【００１３】
さらに発明３では、各電池の両端電圧をそれぞれ監視することが可能となる。
【００１４】
さらに発明４では、接続される電気機器によって様々な各電池の接続が可能となる。
【００１５】
さらに発明５では、各電池の極性に気を使わずに交換可能となる。
【発明を実施するための最良の形態】
【００１６】
〔第１実施形態〕
図１及び図２において、保持脚体１７は円盤状の接続部１２と、接続部１２に接続される脚部１、脚部２及び脚部３が一体成型された樹脂製である。脚部１及び脚部２は筒状であり、一端７及び一端８の開口部が接続部１２の二つの穴にそれぞれ接続されており、この二つの穴を介してそれぞれ電池１０及び電池１１を挿入可能である。この電池１０及び電池１１はどちらも組み電池ではなく、単セルの単三形ニッケル水素充電池である。また、脚部２の他端５には電池１１の挿入方向を表すように、単三形電池の形状に似せた突起が設けられている。
【００１７】
また、脚部３を折りたたみ可能にする為に、一端９付近に軸線を設けて、脚部１又は脚部２に近づく方向に揺動可能にしてもよい。
【００１８】
また、保持脚体１７は図４の回路図７３及び回路図７４のような回路構成になっており、端子５１は電池１０のマイナス極に、端子５５は電池１１のプラス極に接触しており、端子５１及び端子５５は電線によって、接続部１２の上面に設けられた端子５２に接続されている。
【００１９】
また、電気機器２０でもアンプ内蔵型スピーカー２８は、図４の回路図７３のような回路構成になっており、接続部２２の穴の底面に設けられた端子５３は電池１０のプラス極に、端子５４は端子５２に、端子５６は電池１１のマイナス極に接触可能である。なお、回路図７３のＬＥＤ３４、ＬＥＤ３６、抵抗器３５及び抵抗器３７は他の回路図と比較しやすいように記載したものであり、実際にはＬＥＤ３４側がプラス側の電圧源、ＬＥＤ３６側がマイナス側の電圧源、端子５４がグランドとなって、上下対称回路のオーディオアンプに接続されている。
【００２０】
また、電気機器２０でも照明３１は、図４の回路図７４のような回路構成になっており、接続部２２の穴の底面に設けられた端子５３は電池１０のプラス極に、端子５６は電池１１のマイナス極に接触可能である。また、端子５３と端子５６の間には直列接続されたＬＥＤ３４と抵抗器３５が挿入されている。
【００２１】
電気機器２０は、アンプ内蔵型スピーカー２８や照明３１の他にも、カメラ、時計、害虫駆除機、扇風機、空気清浄機、加湿器、イオン発生器、アロマ発生器及び充電器が考えられる。中でも充電器は、照明３１等の電力消費する機器ではなく、電池１０及び電池１１を充電する為のものであり、端子５２を利用すれば電池１０及び電池１１それぞれの両端電圧を監視しながら充電することが可能である。この充電器の電源としては、商用電源や太陽電池が考えられる。
【００２２】
また、嵌合形状１６は接続部１２自身の側壁であり、この側壁にはＬ字状の溝である嵌合形状１３、嵌合形状１４及び嵌合形状１５が設けられている。また、嵌合形状２６は接続部２２自身の側壁であり、この側壁には突起である嵌合形状２３、嵌合形状２４及び嵌合形状２５が設けられている。嵌合形状１３、嵌合形状１４及び嵌合形状１５にそれぞれ嵌合形状２３、嵌合形状２４及び嵌合形状２５を案内させることで、接続部１２に接続部２２が接続されると同時に、各端子の接触も確保される。
【００２３】
また、図３から図５は回路図７１から回路図７８によって様々な回路構成を表しており、いずれの回路図でも採用可能であり、また、ＬＥＤ３４、ＬＥＤ３６、抵抗器３５及び抵抗器３７は回路図を比較しやすいように記載したものであり、モーターやヒーター等の部品に置き換えて電気機器２０を構成可能であることは当業者には明らかであるので、詳しい記載を省略する。なお、回路図７１から回路図７８の電気機器２０部分を保持脚体１７部分に近づけることと、接続部１２に接続部２２を接続することが対応している。
【図面の簡単な説明】
【００２４】
【図１】第１実施形態の保持脚体１７と二種類の電気機器２０の分離状態
【図２】第１実施形態の保持脚体１７と二種類の電気機器２０の接続状態
【図３】電池１０の複数セル（組み電池）と単セルを比較する回路図
【図４】電池１０及び電池１１の逆方向設置による回路図
【図５】電池１０及び電池１１の同一方向設置による回路図
【符号の説明】
【００２５】
１,２,３.                                           脚部
４,５,６.                                           他端
７,８,９.                                           一端
１０,１１.                                        電池
１２,２２.                                        接続部
１３,１４,１５,１６,
２３,２４,２５,２６.                       嵌合形状
１７.                                                 保持脚体
２０.                                                 電気機器
２１.                                                 振動板保護ネット
２７.                                                 中空球状エンクロージャー
２８.                                                 アンプ内蔵型スピーカー
３１.                                                 照明
３２.                                                 中空球状光透過部
３３.                                                 ベース部
３４,３６.                                        ＬＥＤ
３５,３７.                                        抵抗器
５１,５２,５３,５４,
５５,５６,５７.                                端子
７１,７２,７３,７４,
７５,７６,７７,７８.                       回路図
【図１】
2008121780.tif 000003
【図２】
2008121780.tif 000004
【図３】
2008121780.tif 000005
【図４】
2008121780.tif 000006
【図５】
2008121780.tif 000007